【手続補正書】
【提出日】平成24年7月5日(2012.7.5)
【手続補正１】
【補正対象書類名】特許請求の範囲
【補正対象項目名】全文
【補正方法】変更
【補正の内容】
【特許請求の範囲】
【請求項１】
（Ａ）親水性支持体、（ｉ）バインダーポリマーと（ｉｉ）酸基及びその塩の少なくとも一方、オニウム塩、及び、ポリアルキレンオキシ基からなる群から選択される親水基を有するエチレン性不飽和化合物と（ｉｉｉ）重合開始剤とを含有する感光層、及び、保護層を、この順で有する平版印刷版原版を画像露光する露光工程、及び、
（Ｂ）ｐＨ２〜１１の現像液を用いて前記平版印刷版原版の非露光部の感光層及び保護層を一浴で除去する現像工程、
を有する平版印刷版の作製方法。
【請求項２】
前記エチレン性不飽和化合物（ｉｉ）のｌｏｇＰ値が、−１．００以上３．５０以下であることを特徴とする請求項１に記載の平版印刷版の作製方法。
【請求項３】
前記エチレン性不飽和化合物（ｉｉ）が、下記式のいずれかで表される基を含有する化合物であることを特徴とする請求項１又は２に記載の平版印刷版の作製方法。
【化１】
2011191558.tif 000001
【請求項４】
前記エチレン性不飽和化合物（ｉｉ）が、下記式のいずれかで表される基を有する化合物であることを特徴とする請求項１〜３のいずれか１項に記載の平版印刷版の作製方法。
【化２】
2011191558.tif 000002
Ｅは、（ａ）２価の飽和炭化水素基、（ｂ）環員として、窒素原子、酸素原子及び硫黄原子からなる群から選択される原子を２個まで有していてもよい、脂環式基、（ｃ）アリーレン基、又は、（ｄ）複素環式芳香族基を表す。
Ｄ１及びＤ２は、各々独立して、飽和炭化水素基を表す。
Ｄ３は、窒素原子とともに、環を形成する、炭素原子、酸素原子、水素原子、窒素原子及び硫黄原子からなる群から選択される原子で構成される基を表す。
ｔは１〜１０の整数を表す。
Ｚは、水素原子、飽和炭化水素基、又は、下記基を表す。
【化３】
2011191558.tif 000003
Ｘ１は、飽和炭化水素基又は芳香族炭化水素基を表す。
Ｘ２は、飽和炭化水素基、芳香族炭化水素基又は−ＣＨ２（Ｏ−Ａｌｋ）ｎ−で表される基を表す。Ａｌｋはアルキレン基を表す。ｎは１〜５０の整数を表す。
Ｒは、水素原子又はメチル基を表す。
ｋは、１〜１０の整数を表す。
【請求項５】
前記エチレン性不飽和化合物（ｉｉ）が、ウレタン基、ウレア基、チオウレタン基からなる群より選ばれる基を少なくとも１つ有することを特徴とする請求項１〜４のいずれか１項に記載の平版印刷版の作製方法。
【請求項６】
前記エチレン性不飽和化合物（ｉｉ）が、質量平均分子量１０００〜１００００のオリゴマーであることを特徴とする請求項１〜５のいずれか１項に記載の平版印刷版の作製方法。
【請求項７】
前記エチレン性不飽和化合物（ｉｉ）が、下記一般式（Ｉ）で表される化合物であることを特徴とする請求項１に記載の平版印刷版の作製方法。
【化４】
2011191558.tif 000004
式中、Ａは下記ａ）又はｂ）の基を表す：
ａ）２〜６価である、１以上のエーテル、エステル又はアミド結合を含んでいてもよい炭化水素残基；
ｂ）２又は３価のウレア残基；
Ｘ，Ｘ１，Ｘ２は、それぞれ独立して、−Ｏ−又は−ＮＲ−を表し、Ｒはアルキル基を表し、
Ｒ１，Ｒ４，Ｒ５は、それぞれ独立して、２価の炭化水素残基を表し、Ｒ２は２〜６価の直鎖状又は分岐状の炭化水素残基を表し、Ｒ３は水素原子又はメチル基を表す。
Ｚ１は、酸基及びその塩の少なくとも一方、オニウム塩、及び、ポリアルキレンオキシ基からなる群から選択される親水基を表す。
Ｚ２は、アルキル基、シクロアルキル基、アリールアルキル基、アルキルアリール基、アリール基、アルコキシ基、フルオロアルキル基又はパーフルオロアルキル基、及び、シリコーン基からなる群から選択される少なくとも一つの疎水性基を表す。
ｎ、ｍ及びａは、それぞれ独立して、１〜５の整数を表す。ｂは０〜５の整数を表す。
但し、２≦ｍ＋ａ＋ｂ≦６、及び、１≦ａ＋ｂ≦５を満たす。
【請求項８】
前記感光層が、更に、（ｉｉ’）下記式で表される基からなる群より選択される基を少なくとも１つ有するエチレン性不飽和化合物を含有することを特徴とする請求項１又は２に記載の平版印刷版の作製方法。
【化５】
2011191558.tif 000005
【請求項９】
前記感光層が、更に、（ｉｉ’）下記式で表される基からなる群より選択される基を少なくとも１つ有するエチレン性不飽和化合物を含有することを特徴とする請求項１又は２に記載の平版印刷版の作製方法。
【化６】
2011191558.tif 000006
Ｅは、（ａ）２価の飽和炭化水素基、（ｂ）環員として、窒素原子、酸素原子及び硫黄原子からなる群から選択される原子を２個まで有していてもよい、脂環式基、（ｃ）アリーレン基、又は、（ｄ）複素環式芳香族基を表す。
Ｄ１及びＤ２は、各々独立して、飽和炭化水素基を表す。
Ｄ３は、窒素原子とともに、環を形成する、炭素原子、酸素原子、水素原子、窒素原子及び硫黄原子からなる群から選択される原子で構成される基を表す。
ｔは１〜１０の整数を表す。
Ｚは、水素原子、飽和炭化水素基、又は、下記基を表す。
【化７】
2011191558.tif 000007
Ｘ１は、飽和炭化水素基又は芳香族炭化水素基を表す。
Ｘ２は、飽和炭化水素基、芳香族炭化水素基又は−ＣＨ２（Ｏ−Ａｌｋ）ｎ−で表される基を表す。Ａｌｋはアルキレン基を表す。ｎは１〜５０の整数を表す。
Ｒは、水素原子又はメチル基を表す。
ｋは、１〜１０の整数を表す。
【請求項１０】
前記エチレン性不飽和化合物（ｉｉ’）が、下記化合物Ｍ−１又はＭ−２であることを特徴とする請求項８に記載の平版印刷版の作製方法。
【化８】
2011191558.tif 000008
【請求項１１】
前記バインダーポリマー（ｉ）が、ポリビニルブチラールであることを特徴とする請求項１〜１０のいずれか１項に記載の平版印刷版の作製方法。
【請求項１２】
前記バインダーポリマー（ｉ）が、ポリビニルブチラールと（メタ）アクリル系重合体とを含有する混合物からなることを特徴とする請求項１〜１０のいずれか１項に記載の平版印刷版の作製方法。
【請求項１３】
前記現像液が、水溶性のアミン化合物及びそのアミン化合物のイオンを含有することを特徴とする請求項１〜１２のいずれか１項に記載の平版印刷版の作製方法。
【請求項１４】
前記水溶性のアミン化合物が、モノエタノールアミン、ジエタノールアミン、トリエタノールアミン、Ｎ−ヒドロキシエチルモルホリン、及び、４−ジメチルアミノピリジンの群から選択される少なくとも１種の有機アミン化合物であることを特徴とする請求項１３に記載の平版印刷版の作製方法。
【請求項１５】
前記現像液が、０．００１〜２．０質量％の有機溶剤を含有することを特徴とする請求項１〜１４のいずれか１項に記載の平版印刷版の作製方法。
【請求項１６】
前記有機溶剤が、炭素数６〜２０のアルコールからなる群より選ばれる有機溶剤であることを特徴とする請求項１５に記載の平版印刷版の作製方法。
【請求項１７】
前記現像液が、ノニオン系の界面活性剤を含有することを特徴とする請求項１〜１６のいずれか１項に記載の平版印刷版の作製方法。
【請求項１８】
前記ノニオン系界面活性剤が、下記一般式（Ｉ−Ａ）又は（Ｉ−Ｂ）で表される界面活性剤であることを特徴とする請求項１７に記載の平版印刷版の作製方法。
【化９】
2011191558.tif 000009
（上記式中、Ｒ１０及びＲ２０は、それぞれ独立して、水素原子又は有機基を表す。ｔ、ｕは、それぞれ独立して、１又は２を表す。Ｙ１、Ｙ２は、それぞれ独立して、単結合又はアルキレン基を表す。ｖ、ｗは、それぞれ独立して、０〜１００の整数を表す。但し、ｖとｗは同時に０ではなく、またｖ及びｗのいずれか一方が０である場合には、ｖ及びｗのいずれか他方は１ではない。ｖ′、ｗ′は、それぞれ独立して、０〜１００の整数を表す。但し、ｖ′とｗ′は同時に０ではなく、またｖ′及びｗ′のいずれか一方が０である場合には、ｖ′及びｗ′のいずれか他方は１ではない）。
ｔが２を表しＲ１０が有機基であるとき、Ｒ１０は同一でも異なっていてもよくＲ１０が一緒になって環を構成していてもよく、また、ｕが２を表しＲ２０が有機基であるとき、Ｒ２０は同一でも異なっていてもよくＲ２０が一緒になって環を構成していてもよい。
【手続補正２】
【補正対象書類名】明細書
【補正対象項目名】００１１
【補正方法】変更
【補正の内容】
【００１１】
〔２〕  前記エチレン性不飽和化合物（ｉｉ）のｌｏｇＰ値が、−１．００以上３．５０以下であることを特徴とする上記〔１〕に記載の平版印刷版の作製方法。